(57)【特許請求の範囲】
【請求項１】
チャンネルサーチにより各チャンネルの受信可／不可を判定する判定手段と、各チャンネルが有局チャンネルか又は無局チャンネルかを示す情報を記憶する記憶手段と、一度有局であると判定されたチャンネルについてその後に行われる複数回の再チャンネルサーチで受信不可判定が連続した場合に受信不可カウンターをカウントアップする手段と、受信不可カウンターの値が所定数を越えたときに無局チャンネルであると判定する再判定手段と、無局チャンネルであると判定された場合に、各チャンネルが有局チャンネルか又は無局チャンネルかを示す情報を更新する更新手段と、を備えており、前記カウントアップする手段は、受信不可判定が異なる時間帯で生じたときにのみ受信不可カウンターをカウントアップすることを特徴とするディジタル放送受信装置。
【請求項２】
請求項１に記載のディジタル放送受信装置において、前記カウントアップする手段は、ユーザによる選局指示で受信したチャンネルが受信不可であると判定されたときにも受信不可カウンターをカウントアップすることを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
そして、特に地上波ディジタル放送を受信する受信装置においては、当該受信装置の設置時にイニシャル設定として初期チャンネルサーチを実行し、各チャンネルの有局／無局情報を取得することが望ましい。また、イニシャル設定後においても、新たな放送局の開局や新中継局の設置、あるいは放送周波数の変更などに対応するため、スタンバイ時などの非視聴時を利用して度々、再チャンネルサーチを行うのが望ましい。
【０００４】
なお、従来のチャンネルサーチを行う放送受信装置としては、アナログ放送とディジタル放送のそれぞれを担当する二つのＣＰＵにおいて並行してチャンネルサーチを行うものがある（特許文献１参照）。上記チャンネルサーチには、条件にもよるが数十分程度を要するのが通例であり、イニシャル時のチャンネルサーチ中には番組視聴は行えず、チャンネルサーチが終了するのを待つ必要がある。また、再チャンネルサーチ時にユーザが受信操作等を行うと、サーチは中断され、この場合には未再サーチとなるチャンネルが存在してしまうことになる。この未再サーチとなるチャンネルが存在することになる場合において、一般に、受信可能であったチャンネルが受信不可能となったまま放置されるのに比べ、例えば新たに設けられたチャンネルの存在を知らされないことの方が、ユーザにとって不利益であると考えられる。
【０００５】
【特許文献１】
特開２００２−１７１４５３号公報
【０００６】
【発明が解決しようとする課題】
ところで、これまで受信可（有局）であったチャンネルが、再度のチャンネルサーチで受信不可となる場合においては、当該チャンネルがたまたま停波の状態であったにすぎない場合と、当該チャンネルが廃止（無局）になった場合とがある。ここで、前記チャンネルサーチにおいてただ１回の受信不可判定で直ちにこのチャンネルが無局であるとしてしまうのでは、たまたま停波であったチャンネルを誤って無局であると判断してしまうことが生じる。
【０００７】
この発明は、上記の事情に鑑み、ただ１回の受信不可判定で直ちにこのチャンネル（有局であったチャンネル）が無局であるとして各チャンネルが有局チャンネルか又は無局チャンネルかを示す情報が更新されてしまうのを防止することができるディジタル放送受信装置を提供することを目的とする。
【０００８】
【０００９】
【００１０】
【００１１】
【課題を解決するための手段】
この発明のディジタル放送受信装置は、上記の課題を解決するために、チャンネルサーチにより各チャンネルの受信可／不可を判定する判定手段と、各チャンネルが有局チャンネルか又は無局チャンネルかを示す情報を記憶する記憶手段と、一度有局であると判定されたチャンネルについてその後に行われる複数回の再チャンネルサーチで受信不可判定が連続した場合に受信不可カウンターをカウントアップする手段と、受信不可カウンターの値が所定数を越えたときに無局チャンネルであると判定する再判定手段と、無局チャンネルであると判定された場合に、各チャンネルが有局チャンネルか又は無局チャンネルかを示す情報を更新する更新手段と、を備えたことを特徴とする。
【００１２】
上記の構成であれば、ただ１回の受信不可で直ちにこのチャンネル（有局であったチャンネル）が無局チャンネルであるとして各チャンネルが有局チャンネルか又は無局チャンネルかを示す情報が更新されてしまうのを防止することができる。
【００１３】
前記カウントアップする手段は、ユーザによる選局指示で受信したチャンネルが受信不可であると判定されたときにも受信不可カウンターをカウントアップするように構成されていてもよい。また、前記カウントアップする手段は、受信不可が異なる時間帯で生じたときにのみ受信不可カウンターをカウントアップするように構成されていてもよい。
【００１４】
【発明の実施の形態】
以下、この発明の実施形態を図１乃至図３に基づいて説明するが、ここではユーザが地上波ディジタル放送を視聴する場合を例示している。図１はこの実施形態のディジタル放送受信装置３０を示したブロック図であり、図２は各チャンネルの有局／無局情報の更新処理を示したフローチャートであり、図３は各チャンネルの有局／無局情報を例示した説明図である。
【００１５】
図１において、アンテナ１は、屋外において所定の方向に向けて配置されており、地上波放送局から送られてくるディジタル放送信号を受信する。
【００１６】
チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００１７】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組関連情報等をＣＰＵ１３に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。
【００１８】
ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御等を行う。オーディオデコーダは、入力された符号化信号を復号して音声データを生成する。デコードにより生成された映像データは映像処理回路５に出力され、音声データは音声処理回路６に出力される。
【００１９】
映像処理回路５は、ＡＶデコーダ４から映像データを受け取ってＤ／Ａ変換を行い、例えばコンポジット映像信号に変換する。音声処理回路６は、ＡＶデコーダ４から出力された音声データを受け取ってＤ／Ａ変換を行い、例えば右（Ｒ）音のアナログ信号及び左（Ｌ）音のアナログ信号を生成する。
【００２０】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によってＣＲＴ１６ａ及びスピーカ１６ｂを備えるモニタ１６が接続される。
【００２１】
ＯＳＤ回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、ＣＰＵ１３が受け取った前述の番組関連情報に基づくＥＰＧ（Ｅｌｅｃｔｒｏｎｉｃ  Ｐｒｏｇｒａｍ  Ｇｕｉｄｅ）表示などが行えることになる。
【００２２】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２３】
メモリ（ＲＡＭ、ＥＥＰＲＯＭ、フラッシュメモリ等）１４には、ＥＰＧ画面などを表示するための番組関連情報の他、後に説明する各チャンネルの有局／無局情報などが格納される。
【００２４】
ＣＰＵ１３は、このディジタル放送受信装置３０における全体制御を行うものであるが、特にこの発明にかかる制御として、チャンネルサーチによる各チャンネルの有局／無局情報の生成／更新などを行うようになっている。初期チャンネルサーチは、例えばユーザがリモコン送信機１０を操作し、画面に表示させたメニュー項目のなかの「初期チャンネルサーチ」を選択することで実行される。ユーザは、受信装置３０の購入設置時や転居後設置時などに「初期チャンネルサーチ」を選択することとなる。
【００２５】
図２は、各チャンネルの有局／無局情報取得更新処理を示したフローチャートである。ＣＰＵ１３は、初期処理において、各チャンネルの受信可／不可情報の初期化処理、及び各チャンネルについて設けられた受信不可カウンターのリセット処理を実行する（ステップＳ１）。そして、例えば、周波数の低い順にチャンネルサーチ処理を開始し、各チャンネルについての情報をメモリ１４に格納していく（ステップＳ２）。このとき、受信可チャンネルと受信不可チャンネルとを区別する識別情報を生成する（例えば、受信不可チャンネルについてマーキングを施す）。初期処理において生成された各チャンネルの受信可／不可情報の例を図３に示す。この例においては、ｃｈ１３からｃｈ２２までの１０チャンネルが存在するが、前述の初期チャンネルサーチ処理によりｃｈ１３、ｃｈ１７、ｃｈ２０、ｃｈ２１が受信不可とされたためそのチェック項目にマーキングが施され、また各チャンネルに設けられた受信不可カウンターは０とされていることを示している。上記初期チャンネルサーチ処理で受信不可とされたためにそのチェック項目にマーキングが施されたチャンネルは以後無局チャンネルとして扱われ、マーキングが施されなかったチャンネルは有局チャンネルとして扱われる（すなわち、受信不可マーキングは、各チャンネルが有局チャンネルか又は無局チャンネルかを示す情報にもなる）。
【００２６】
ＣＰＵ１３は、テレビＯＦＦ（スタンバイ状態）を判断すると（ステップＳ３でＹＥＳ）、再チャンネルサーチを実行する。この再チャンネルサーチでは、各チャンネルの受信可／不可情報中において受信不可のチェック項目にマーキングされた最初のチャンネルであるｃｈ１３についてスキャンを行う（ステップＳ４）。このチャンネルで放送を受信できなかった場合にはステップＳ７に進み、受信できた（有局と判定された）場合には、各チャンネルの受信可／不可情報のｃｈ１３に対応する受信不可マーキングを除去する（ステップＳ６）。ステップＳ７では、このチャンネルが受信可／不可情報中の最後の受信不可チャンネルであるかどうかを判断する（ステップＳ７）。上記の場合ではｃｈ１３は最後のチャンネルではないので、次の受信不可チャンネルであるｃｈ１７についてスキャンを行い（ステップＳ８）、ステップＳ５に戻り処理を続ける。
【００２７】
全ての受信不可チャンネルについて上述した判定処理が終了すると（ステップＳ７でＹＥＳ）、次に受信可能（有局）チャンネルの最初のチャンネルであるｃｈ１４をスキャンする（ステップＳ９）。ｃｈ１４で放送を受信することができなかった場合（ステップＳ１０でＮＯ）には、このチャンネルが受信不可であると判断された前回の有局判定処理と今回の有局判定処理とが、同一時間帯に実施されたかどうかを判断する（ステップＳ１１）。時間帯の基準は深夜、明け方といった時間帯に対応した分け方でもよいし、１日を均等に４つの時間帯（各６時間）に分けるといったやり方でもよい。前回の処理と同一時間帯であると判断された場合にはステップＳ１６に進み（受信不可とされたことを無視する）、同一時間帯でないと判断された場合にはｃｈ１４に対応する受信不可カウンターをカウントアップする（ステップＳ１２）。ＣＰＵ１３は受信不可カウンターが例えば３であるかどうかを判断し（ステップＳ１３）、３でない場合にはステップＳ１６に進む。受信不可カウンターが３である場合には、ｃｈ１４に対応する受信不可のチェック項目にマーキングを施すと共に受信不可カウンターをリセットし（ステップＳ１４）、ステップＳ１６に進む。これにより、異なる時間帯に３回連続して無局判定を受けたチャンネルだけが無局チャンネルとして更新されることになる。
【００２８】
ｃｈ１４で放送を受信できた場合（ステップＳ１０でＹＥＳ）には、このチャンネルの受信不可カウンターをリセットする（ステップＳ１５）。そして、このチャンネルが受信可／不可情報中の最後の受信可能チャンネルであるかどうかを判断する（ステップＳ１６）。上記の場合、ｃｈ１４は最後のチャンネルではないので、次の受信可能チャンネルであるｃｈ１５についてスキャンを行い（ステップＳ１７）、ステップＳ１０に戻り処理を続ける。全ての受信可能チャンネルについて上述の判定処理を終了すると（ステップＳ１６でＹＥＳ）、受信装置３０は一定時間待機し（ステップＳ１８）、テレビＯＦＦの判定処理に進む（ステップＳ３）。
【００２９】
以上説明したように、再チャンネルサーチにおいては、各チャンネルの受信可／不可情報において受信不可（無局）とされているチャンネルを優先して有局かどうかの判定を行うので、例えば新たな放送局が開局されたり、既存の放送局のチャンネルが変更されたような場合でも、これらのチャンネルを早期に検出することが可能となる。また、一度有局と判定されたチャンネルについては受信不可状態が所定回数連続した場合にのみ、各チャンネルが有局チャンネルか又は無局チャンネルかを示す情報において無局（受信不可）とする更新を行うこととしたので、ただ１回の受信不可判定で直ちにこのチャンネルが無局であるとして各チャンネルが有局チャンネルか又は無局チャンネルかを示す情報が更新されてしまうのを防止することができる。更に、例えば数日連続で午前３時にチャンネルサーチが実行されてその度に無局判定を受けた場合でも、前回の判定時と同一時間帯に行われた受信不可判定は考慮しないようにしており、また、ユーザが停波中のチャンネルについて短時間に選局指示を繰り返し行ったとしても同一時間帯であり受信不可判定は考慮しないことになるから、停波に起因する無局の誤判定を確実に防止することができる。
【００３０】
なお、上述した説明においては、チャンネルスキャンにより受信不可であると判断されたチャンネルについて受信不可カウンターをカウントアップしていくこととしたが、ユーザによる選局操作時にそのチャンネルで放送を受信できなかった場合にも該当チャンネルの受信不可カウンターをカウントアップすることとしてもよい。勿論、この場合にも同一時間帯判断処理を行うのがよい。
【００３１】
また、例えばユーザ操作でテレビＯＮされるなどして、各チャンネルの有局／無局情報更新処理が中断されると、中断時の処理が受信不可チャンネルを対象としていた場合（ステップＳ４からステップＳ８の処理が実行されていた場合）には、次にテレビＯＦＦされるとＣＰＵ１３は中断時の無局チャンネルから処理を再開し、中断時の処理が受信可能チャンネルを対象としていた場合（ステップＳ９からステップＳ１７の処理が実行されていた場合）には、中断箇所からではなく受信不可チャンネルの最初のチャンネル（ステップＳ４）から処理を開始するのがよい。
【００３２】
【発明の効果】
以上説明したように、この発明によれば、ただ１回の受信不可判定で直ちに当該チャンネル（有局であったチャンネル）が無局チャンネルであるとして各チャンネルが有局チャンネルか又は無局チャンネルかを示す情報が更新されてしまうのを防止することができる。
【図面の簡単な説明】
【図１】  この発明の実施形態のディジタル放送受信装置を示したブロック図である。
【図２】  各チャンネルの有局／無局情報更新処理を示したフローチャートである。
【図３】  各チャンネルの有局／無局情報を例示した説明図である。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
0003789875.tif 000002
【図２】
0003789875.tif 000003
【図３】
0003789875.tif 000004